(57)【要約】【課題】燃焼室がペントルーフ型の筒内噴射式内燃機関において、圧縮比の低下および燃料の拡散を抑制すると共に燃料と空気との混合または燃料の霧化を促進して、排気エミッション性能および機関出力の向上を図る。【解決手段】燃焼室がペントルーフ型の筒内噴射式内燃機関は、燃焼室の天井壁面に向かって隆起する隆起部１１が形成された頂面３ａを有するピストン３を備える。隆起部１１には、凹部１２および突出部１３を含むと共に燃料噴射弁からの燃料噴流を受ける受け部１４と、バルブリセス１５〜１８と、凹部１２内の燃料を各バルブリセス１５〜１８に案内する案内部２１，２２とが形成される。【選択図】    図３
2004270476.tif 000002
【特許請求の範囲】
【請求項１】
ペントルーフ型の燃焼室を形成するシリンダヘッドと、シリンダに往復動可能に嵌合されて前記燃焼室の天井壁面に向かって隆起する隆起部が形成された頂面を有するピストンと、前記燃焼室に臨んで設けられ前記隆起部に向けて燃料を噴射する燃料噴射弁とを備える筒内噴射式内燃機関において、
前記隆起部には、凹部と、突出部と、前記凹部および前記突出部を含むと共に前記燃料噴射弁からの燃料噴流を受ける受け部と、吸気弁または排気弁との接触を回避するバルブリセスと、前記凹部内の燃料を前記バルブリセスに案内する案内部とが形成されることを特徴とする筒内噴射式内燃機関。
【請求項２】
前記燃料噴流は、上方から前記凹部の壁面または前記突出部の側面に当たって反射した後、平面視で前記案内部に向かう燃料流に偏向され、前記壁面または前記側面は、前記バルブリセスの底壁面の一部分よりも上方に位置することを特徴とする請求項１記載の筒内噴射式内燃機関。
【請求項３】
前記案内部は、前記凹部から前記バルブリセスに流入する燃料が前記バルブリセス内で旋回流を生成するように形成されていることを特徴とする請求項１または請求項２記載の筒内噴射式内燃機関。
【請求項４】
前記凹部内に位置する前記突出部は、前記燃料噴流に対向するように突出しており、前記突出部の前記側面は前記案内部に向くように傾斜した平面からなることを特徴とする請求項１から請求項３のいずれか１項記載の筒内噴射式内燃機関。
【請求項５】
前記凹部は前記バルブリセスに延びる溝からなり、前記案内部は前記溝であり、前記突出部は前記溝の側壁であることを特徴とする請求項１または請求項２記載の筒内噴射式内燃機関。
【請求項６】
前記バルブリセスの底壁面には窪みが形成されていることを特徴とする請求項５記載の筒内噴射式内燃機関。
【請求項７】
前記溝は前記バルブリセスの底壁面に形成されて前記バルブリセス内で延びており、前記溝の端部が、前記溝よりも深く形成された前記窪みに開放することを特徴とする請求項６記載の筒内噴射式内燃機関。
【発明の詳細な説明】
【０００１】
【発明の属する技術分野】
本発明は、燃焼室がペントルーフ型の筒内噴射式内燃機関に関し、詳細には、その燃焼室の構造に関する。
【０００２】
【従来の技術】
内燃機関において、燃焼室内に供給された燃料または混合気が燃焼室およびシリンダ孔を形成する壁面のうちで比較的低温の壁面、例えばシリンダヘッドの壁面やシリンダの壁面に接触すると、燃料の温度が低下して、未燃焼の燃料または燃料が不完全燃焼することで生成されるすすや一酸化炭素などの中間生成物が、排気ガスと一緒に排出されて、排気エミッション性能が低下し、また機関出力が低下する。
【０００３】
そこで、シリンダ壁面との接触による燃料の温度低下を防止して、未燃焼の燃料および中間生成物の排出を減少させるために、例えば特許文献１に開示された内燃機関が知られている。この内燃機関は、圧縮熱により混合気に自着火を生じさせる圧縮自着火内燃機関であり、ガスインジェクタからピストンの頂面に形成された燃焼室に向けた噴射された空気とガス燃料との混合気がシリンダ壁面近傍領域など低温領域に拡散してないように、混合気の流れを案内する形状に燃焼室が形成される。
【０００４】
一方、内燃機関の高出力化を図るために、吸気弁により開閉される吸気口の面積を大きくして、吸気効率を増加させることができるように、シリンダヘッドに形成される燃焼室の形状をペントルーフ型とする内燃機関も知られている。例えば特許文献２に開示された内燃機関では、ピストンの頂面の隆起部に、凹部から構成されるボウルが設けられ、該ボウルに向けて燃料噴射弁から燃料が噴射される。
【０００５】
【特許文献１】
特開２００１−６５３５０号公報
【特許文献２】
特開２０００−８８６３号公報
【０００６】
【発明が解決しようとする課題】
ところで、特許文献１記載の内燃機関では、燃焼室はピストンの平坦な頂面に形成された凹部で構成されるものであり、このような燃焼室を特許文献２のペントルーフ型燃焼室を有する内燃機関の隆起部を有するピストンに適用しようとすると、隆起部の高さが低い部分では、凹部の周壁面の高さも低くなるため、燃料が前記低温領域に拡散しやすくなる。そこで、燃料が前記低温領域に拡散して低温の壁面に接触しないようにするために、ピストンの隆起部に形成される凹部の容積を大きくすると、燃料の拡散は抑制されるものの、圧縮比の低下を招来して混合気の自着火が困難になる。一方、圧縮比を高めるために、凹部の容積を小さくすると、燃料が前記低温領域に拡散することを抑制することが困難になる。
【０００７】
本発明は、このような事情に鑑みてなされたものであり、請求項１〜７記載の発明は、燃焼室がペントルーフ型の筒内噴射式内燃機関において、圧縮比の低下および燃料の拡散を抑制すると共に燃料と空気との混合または燃料の霧化を促進して、排気エミッション性能および機関出力の向上を図ることを目的とする。そして、請求項５〜７記載の発明は、さらに、高圧縮比の確保を容易にすることを目的とする。
【０００８】
【課題を解決するための手段および発明の効果】
請求項１記載の発明は、ペントルーフ型の燃焼室を形成するシリンダヘッドと、シリンダに往復動可能に嵌合されて前記燃焼室の天井壁面に向かって隆起する隆起部が形成された頂面を有するピストンと、前記燃焼室に臨んで設けられ前記隆起部に向けて燃料を噴射する燃料噴射弁とを備える筒内噴射式内燃機関において、前記隆起部には、凹部と、突出部と、前記凹部および前記突出部を含むと共に前記燃料噴射弁からの燃料噴流を受ける受け部と、吸気弁または排気弁との接触を回避するバルブリセスと、前記凹部内の燃料を前記バルブリセスに案内する案内部とが形成される筒内噴射式内燃機関である。
【０００９】
これによれば、燃料噴流は受け部の凹部に向けられるので、凹部で反射した燃料が燃焼室において比較的低温の低温領域である天井壁面近傍領域に拡散することが抑制されて、その燃料が比較的低温の天井壁面に接触する割合が減少する。また、燃料噴流が受け部の凹部および突出部からなる凹凸構造に当たるため、燃料と空気との混合または燃料の霧化が促進される。さらに、受け部の突出部により燃焼室の容積が減少するので、圧縮比の低下が抑制される。そして、受け部の容積が突出部の分だけ小さくなるにも拘わらず、案内部により凹部内の燃料がバルブリセスに流入するように案内されるので、燃料が前記低温領域に拡散することが抑制されるうえ、凹部内の燃料が案内部を流れてバルブリセスに流入することにより、燃料と空気との混合または燃料の霧化が行われる。
【００１０】
この結果、請求項１記載の発明は、次の効果を奏する。すなわち、高圧縮比が確保されて、自着火による燃焼を可能としたうえで、燃料噴射弁から噴射された燃料が、前記低温領域である天井壁面近傍領域に拡散することが抑制されて、比較的低温の天井壁面に接触する割合が減少し、しかも燃料と空気との混合または燃料の霧化が促進されて燃焼性が向上するので、自着火が容易になるうえ、未燃焼の燃料や不完全燃焼により生じる中間生成物が排気ガス中に排出される割合が減少して、排気エミッション性能および機関出力が向上する。
【００１１】
請求項２記載の発明は、請求項１記載の筒内噴射式内燃機関において、前記燃料噴流は、上方から前記凹部の壁面または前記突出部の側面に当たって反射した後、平面視で前記案内部に向かう燃料流に偏向され、前記壁面または前記側面は、前記バルブリセスの底壁面の一部分よりも上方に位置するものである。
【００１２】
これによれば、凹部の壁面または突出部の側面により燃料噴流が案内部に向かうように偏向され、さらに燃料流が凹部の壁面または突出部の側面よりも下方に位置するバルブリセスに流入しやすくなるので、燃料が前記低温領域に拡散することが一層抑制されるうえ、凹部内の燃料が案内部を流れてバルブリセスに流入することによる燃料と空気との混合または燃料の霧化が促進される。
これらの点に基づいて、請求項２記載の発明は、請求項１記載の発明の効果がさらに高められた効果を奏する。
【００１３】
請求項３記載の発明は、請求項１または請求項２記載の筒内噴射式内燃機関において、前記案内部は、前記凹部から前記バルブリセスに流入する燃料が前記バルブリセス内で旋回流を生成するように形成されているものである。
【００１４】
これによれば、バルブリセス内に生成される旋回流により、燃料と空気との混合または燃料の霧化が促進される。
この点に基づいて、請求項３記載の発明は、引用された請求項記載の発明の効果がさらに高められた効果を奏する。
【００１５】
請求項４記載の発明は、請求項１から請求項３のいずれか１項記載の筒内噴射式内燃機関において、前記凹部内に位置する前記突出部は、前記燃料噴流に対向するように突出しており、前記突出部の前記側面は前記案内部に向くように傾斜した平面からなるものである。
【００１６】
これによれば、側面で反射した燃料の多くが、効率よく案内部に向かって流れ、さらにバルブリセスに流入するので、凹部内の燃料が前記低温領域に拡散することが一層抑制され、また案内部を流れてバルブリセスに流入することによる燃料と空気との混合または燃料の霧化が一層促進される。さらに、バルブリセス内に旋回流が形成される場合は、その旋回流が強められて、燃料と空気との混合または燃料の霧化がさらに促進される。
これらの点に基づいて、請求項４記載の発明は、引用された請求項記載の発明の効果がさらに高められた効果を奏する。
【００１７】
請求項５記載の発明は、請求項１または請求項２記載の筒内噴射式内燃機関において、前記凹部は前記バルブリセスに延びる溝からなり、前記案内部は前記溝であり、前記突出部は前記溝の側壁であるものである。
【００１８】
これによれば、凹部は溝から構成され、該溝が案内部を兼ね、突出部が溝の側壁であるので、隆起部に形成されて燃焼室の容積拡大につながる凹みを減少させることができる。また、凹部を構成する溝内の燃料が該溝を流れて円滑にバルブリセスに流入するので、隆起部で反射した燃料が天井壁面近傍領域に拡散することが抑制されて、その燃料が比較的低温の天井壁面に接触する割合が減少する。この結果、請求項５記載の発明は、次の点で、引用された請求項記載の発明の効果がさらに高められた効果を奏する。すなわち、高圧縮比の確保が容易になる。
【００１９】
請求項６記載の発明は、請求項５記載の筒内噴射式内燃機関において、前記バルブリセスの底壁面には窪みが形成されているものである。
【００２０】
これによれば、バルブリセスに流入した燃料が窪みに流入して、バルブリセス内での燃料と空気との混合または燃料の霧化が促進される。また、凹部を構成する溝の容積を小さくして高圧縮比を維持する場合にも、該溝のより多く燃料を、該溝を通じて円滑に、窪みにより容積が拡大されたバルブリセス内に導くことができるので、燃料が前記低温領域に拡散することが抑制される。
これらの点に基づいて、請求項６記載の発明は、請求項５記載の発明の効果がさらに高められた効果を奏する。
【００２１】
請求項７記載の発明は、請求項６記載の筒内噴射式内燃機関において、前記溝は前記バルブリセスの底壁面に形成されて前記バルブリセス内で延びており、前記溝の端部が、前記溝よりも深く形成された前記窪みに開放するものである。
【００２２】
これによれば、凹部を構成する溝の燃料が、該溝を流れて窪み内に直接流入するので、その直接流入する燃料によりバルブリセス内での燃料と空気との混合または燃料の霧化が一層促進される。
この点に基づいて、請求項７記載の発明は、請求項５記載の発明の効果がさらに高められた効果を奏する。
【００２３】
なお、この明細書において、特に断らない限り、上方向は、シリンダ軸線の方向において、ピストンの下死点に対してその上死点が位置する方向であるとする。また、径方向とは、シリンダ軸線を中心とする放射方向を意味し、周方向とは、シリンダ軸線を中心とする円周方向を意味する。また、平面視とは、シリンダ軸線方向から見ることを意味する。
【００２４】
【発明の実施の形態】
以下、本発明の実施例を図１から図９を参照して説明する。
図１〜図５は、本発明の第１実施例を説明するための図である。図１〜図３を参照すると、本発明が適用された筒内噴射式内燃機関は、圧縮熱により自着火が可能な４ストローク内燃機関である。前記内燃機関は、コンロッドを介してクランク軸を回転駆動するピストン３が往復動可能に嵌合するシリンダ孔１ａ１がそれぞれ形成された複数のシリンダ１ａを有するシリンダブロック１と、シリンダブロック１の上端部に結合されるシリンダヘッド２とを備える。シリンダブロック１およびシリンダヘッド２には、それぞれ冷却水が流通するウォータジャケット１ｂ，２ｂが形成されている。
【００２５】
シリンダヘッド２と各ピストン３との間には燃焼室４が形成され、燃焼室４に臨む燃料噴射弁５および点火栓（不図示）が、シリンダヘッド２に取り付けられる。さらに、シリンダヘッド２には、燃焼室４毎に、吸気装置の吸気通路に接続されて吸入空気を燃焼室４に導く吸気ポートと、排気装置の排気通路に接続されて燃焼ガスを排気ガスとして前記内燃機関の外部に排出する排気ポートとが形成される。
【００２６】
前記吸気ポートは燃焼室４に開放する１対の吸気口を有し、前記排気ポートは燃焼室４に開放する１対の排気口を有する。前記両吸気口および前記両排気口は、シリンダヘッド２に往復動可能に支持されたポペット弁からなる１対の吸気弁および１対の排気弁によりそれぞれ開閉される。
【００２７】
前記各吸気弁および前記各排気弁を開閉作動させる動弁装置は、タイミングベルトなどを備える伝動機構を介して前記クランク軸に駆動連結されると共に該クランク軸の１／２の回転速度で回転駆動されるカム軸を備える。そして、該カム軸に形成されたカムが、カムフォロアを介して前記各吸気弁および前記各排気弁を、前記クランク軸の回転に同期した所定のタイミングで開閉する。
【００２８】
また、図示されない制御装置により機関運転状態に応じて噴射燃料量および噴射時期が制御される燃料噴射弁５は、シリンダヘッド２に装着された状態で、燃焼室４の中心である中心線Ｌ２と一致する中心軸線を有する。中心線Ｌ２は、シリンダ軸線Ｌ１に平行であり、かつシリンダ軸線Ｌ１の近傍範囲に位置する。そして、燃料噴射弁５は、後述する隆起部の受け部を指向する噴流中心線を有する円錐状の噴流の形態で、液体燃料と空気とが予め混合された状態の混合気を燃焼室４に噴射する。ここで、前記噴流中心線は中心線Ｌ２にほぼ一致する。また、前記液体燃料としては、例えばガソリンやメタノールが使用される。
【００２９】
各燃焼室４は、シリンダ孔１ａ１にシリンダ軸線方向Ａ１（上下方向）で対向する範囲内でのシリンダヘッド２の下面２ａとピストン３の頂面３ａとの間に形成される。下面２ａには凹部６が形成されており、該凹部６の壁面を構成する下面２ａの一部がペントルーフ型の燃焼室４を形成する天井壁面７を構成する。
【００３０】
天井壁面７は、前記クランク軸の回転中心線に平行で、かつ中心線Ｌ２を含む平面である中心面Ｐ１に直交する方向Ａ２（この直交方向Ａ２は平面視で前記クランク軸の回転中心線に直交する方向である。）において、燃焼室４の周縁部から該中心面Ｐ１に向かうにつれて上方に傾斜する１対の傾斜面である吸気側傾斜面７ｉと排気側傾斜面７ｅとを有する。そして、吸気側傾斜面７ｉに前記１対の吸気口が開口し、排気側傾斜面７ｅに前記１対の排気口が開口し、燃料噴射弁５は、両傾斜面７ｉ，７ｅが交差する位置で燃焼室４に臨んでいる。さらに、天井壁面７において、前記１対の吸気弁、前記１対の排気弁および前記点火栓は、燃料噴射弁５の周囲に周方向に間隔をおいて配置される。
【００３１】
併せて図４，図５を参照すると、ピストン３の頂面３ａには、シリンダ軸線Ｌ１に直交する平面上にほぼ位置すると共に頂面３ａの外周縁部寄りに位置する平坦部１０と、平坦部１０から天井壁面７に向かって上方に隆起する隆起部１１とが形成される。隆起部１１には、中心線Ｌ２を中心とした凹部１２と、凹部１２内の中心に位置して前記噴流中心線とほぼ一致する軸線を有する円錐台状の突出部１３と、凹部１２の少なくとも一部および突出部１３の全体を含むと共に燃料噴射弁５から噴射された燃料噴流を受けるように燃料噴流の噴流範囲Ｒ内（図４には、隆起部１１における噴流範囲Ｒの外周にほぼ相当する部分が二点鎖線で示されている。）に位置する部分である受け部１４と、前記１対の吸気弁のバルブヘッドとの接触をそれぞれ回避する第１，第２吸気側バルブリセス１５，１６と、前記１対の排気弁のバルブヘッドとの接触をそれぞれ回避する第１，第２排気側バルブリセス１７，１８とが形成される。ここで、燃料噴流とは、燃料噴射弁５から噴射されて頂面３ａに達するまでの混合気または燃料の流れである。
【００３２】
突出部１３の存在により環状の空間、ここではほぼ円環状の空間が大部分を占める凹部１２は、平坦部１０よりもやや低い位置にあるほぼ円環状の平面からなる底壁面１２ａと、底壁面１２ａから上方に延びると共に中心線Ｌ２の周方向に高さが異なる外側の周壁面１２ｂと、突出部１３の側面１３ａおよび最上面１３ｂにより規定される。周壁面１２ｂの上端部により規定される凹部１２の開口１２ａは、平面視で概ね円形（図４参照）であり、ほぼ全体が噴流範囲Ｒ内に位置する。したがって、凹部１２および突出部１３よりも上方に位置する燃料噴射弁５から受け部１４に向けられた燃料噴流のうち、噴流範囲Ｒ内に全体がほぼ収まる底壁面１２ａで反射する燃料は、平坦部１０よりもやや低い位置にある底壁面１２ａと周壁面１２ｂとにより、燃焼室４において比較的低温の低温領域である天井壁面７近傍領域に拡散することが抑制される。
【００３３】
突出部１３は、底壁面１２ａから燃料噴流に対向するように燃料噴射弁５に向かって上方に突出すると共に、噴流範囲Ｒ内に収まる位置に形成される。突出部１３の外周面である側面１３ａは、下方に向かうにつれて径方向外方に広がる円錐面により構成される。それゆえ、側面１３ａは、受け部１４の中心部、具体的には中心線Ｌ２から頂面３ａの外周縁部に向かうにつれて下方に傾斜することにより、後述する各食い込み部２１，２２に向くように傾斜した傾斜面である。また、突出部１３の高さは、その平坦な最上面１３ｂが、各食い込み部２１，２２の後述する最高部２１ａ，２２ａよりも低く、最低部２１ｂ，２２ｂよりも高い位置を占めるような高さに設定されている。
【００３４】
凹部１２は、各バルブリセス１５〜１８において燃焼室４の中心寄りの部分で、各バルブリセス１５〜１８に食い込んで形成される吸気側食い込み部２１および排気側食い込み部２２を有する。そして、各食い込み部２１，２２では、周壁面１２ｂの高さが周方向で異なることにより、凹部１２で受けた燃料噴流のうち、より多くの燃料が、該周壁面１２ｂの高さがより低い低壁部分２１ｄ，２２ｄ寄りから各バルブリセス１５〜１８内に流入する。そのため、該低壁部分２１ｄ，２２ｄから各バルブリセス１５〜１８に流入するより多くの燃料の流れにより、各バルブリセス１５〜１８内にシリンダ軸線Ｌ１にほぼ平行な軸線回りの旋回流Ｓ１（図４参照）が生成される。
【００３５】
具体的には、第１，第２吸気側バルブリセス１５，１６の底壁面１５ａ，１６ａが吸気側傾斜面７ｉにほぼ平行に傾斜していること、および第１，第２排気側バルブリセス１７，１８の底壁面１７ａ，１８ａが排気側傾斜面７ｅにほぼ平行に傾斜していることにより、各食い込み部２１，２２では、前記中心面Ｐ１から直交方向Ａ２に離れるにつれて次第に周壁面１２ｂの高さが低くなる。それゆえ、平面視で周方向に延びる各食い込み部２１，２２において、直交方向Ａ２で中心面Ｐ１に最も近い一方の端部が最も高い周壁面１２ｂを有する最高部２１ａ，２２ａとなり、直交方向Ａ２で中心面Ｐ１から最も離れている他方の端部が最も低い周壁面１２ｂを有する最低部２１ｂ，２２ｂとなる。そして、凹部１２内の燃料は、最低部２１ｂ，２２ｂを有する低壁部分２１ｄ，２２ｄから各バルブリセス１５〜１８内に流入しやすくなる。それゆえ、各食い込み部２１，２２は、凹部１２と各バルブリセス１５〜１８とを連通させると共に、凹部１２からの燃料を各バルブリセス１５〜１８に案内して、凹部１２から各バルブリセス１５〜１８に流入する燃料が各バルブリセス１５〜１８内で旋回流を生成するように形成された案内部を構成する。
【００３６】
さらに、周壁面１２ｂの高さがより高い高壁部分２１ｃ，２２ｃは、最上面１３ｂを含む平面Ｐ２に対して上方側に位置する一方、低壁部分２１ｄ，２２ｄは、平面Ｐ２に対して下方側に位置するため、突出部１３の側面１３ａの一部分である上部は、各バルブリセス１５〜１８の底壁面１５ａ〜１８ａの一部分、すなわち平面Ｐ２よりも下方に位置する底壁面１５ａ〜１８ａの部分よりも上方に位置する。
【００３７】
そして、第１吸気側バルブリセス１５と第２吸気側バルブリセス１６では、互いに反対方向の旋回流が生成され、同様に、第１排気側バルブリセス１７と第２排気側バルブリセス１８では、互いに反対方向の旋回流が生成される。また、前記各吸気弁のバルブ径が、各排気弁のバルブ径よりも大きいことにより、各バルブリセス１５〜１８の容積に比例して、周方向での各吸気側食い込み部２１の幅は、各排気側食い込み部２２の幅よりも大きい。
【００３８】
さらに、各食い込み部２１，２２における高壁部分２１ｃ，２２ｃでは、周壁面１２ｂがその立上がり部に比べて上端部が径方向内方に向かって突出するオーバハング形状になっており（図２参照）、しかも周壁面１２ｂの高さが低くなるにほど径方向内方への突出量（オーバハング量）が小さくなり、低壁部分２１ｄ，２２ｄでは、ほぼオーバハングしていない（図１，図５参照）。そのため、高壁部分２１ｃ，２２ｃでは、周壁面１２ｂの高さが低壁部分２１ｄ，２２ｄに比べて高くなっているうえ、オーバハング形状になっているため、凹部１２内の燃料が凹部１２から流出しにくくなっている。そのため、高壁部分２１ｃ，２２ｃは、凹部１２内の燃料の径方向への拡散を抑制すると共に、凹部１２内の燃料が低壁部分２１ｄ，２２ｄから各バルブリセス１５〜１８に流入することを促進して、各バルブリセス１５〜１８内での旋回流を強めるように燃料流を案内する部分となっている。
【００３９】
また、各バルブリセス１５〜１８の周壁面のうち、最低部２１ｂ，２２ｂ付近の部分１５ｂ〜１８ｂは、突出部１３の最上面１３ｂよりもやや高い壁面となっているため、低壁部分２１ｄ，２２ｄから流入する燃料が各バルブリセス１５〜１８から流出することを抑制すると共に、旋回流Ｓ１の生成を促進する壁面に形成されている。
【００４０】
そして、前記内燃機関は、例えば以下のように運転可能である。
前記内燃機関のアイドリング運転域や低負荷運転域など、圧縮行程の上死点近傍での圧縮熱による燃焼室４内の温度が低くて、混合気を自着火により燃焼させることが困難な機関運転域では、燃焼室４内の混合気は、前記制御装置により制御される点火時期に、前記点火栓により点火されて燃焼する。
【００４１】
また、前記内燃機関の中・高負荷運転域など、圧縮熱による燃焼室４内の温度が、混合気を自着火により燃焼させることできる機関運転域では、前記点火栓の作動は停止されて、燃焼室４内の混合気は自着火して燃焼する。
【００４２】
そして、いずれの機関運転域においても、前記制御装置により制御された燃料噴射弁５から、液体状態の燃料を含んだ混合気が、圧縮行程の上死点近傍での噴射時期に隆起部１１の受け部１４に向けて噴射される。
【００４３】
次に、前述のように構成された実施例の作用および効果について説明する。
ピストン３の頂面３ａに形成されて、ペントルーフ型の燃焼室４の天井壁面７に向かって隆起する隆起部１１には、凹部１２および凹部１２内に位置する突出部１３を含むと共に燃料噴射弁５からの燃料噴流を受ける受け部１４と、前記吸気弁および前記排気弁との接触を回避する各バルブリセス１５〜１８と、凹部１２内の燃料を各バルブリセス１５〜１８に案内する各食い込み部２１，２２とが形成される。これにより、突出部１３により燃焼室４の容積が減少するため、圧縮比の低下が抑制されるので、高圧縮比が確保されて、自着火による燃焼が可能となる。また、燃料噴流は受け部１４の凹部１２に向けられるので、凹部１２で反射した燃料が前記低温領域である天井壁面７近傍領域に拡散することが抑制されて、燃料が比較的低温の天井壁面７に接触する割合が減少する。さらに、燃料噴流が凹部１２および突出部１３に当たるため、受け部１４のこの凹凸構造により燃料と空気との混合または燃料の霧化が促進される。そして、凹部１２の容積が突出部１３の分だけ小さくなるにも拘わらず、各食い込み部２１，２２により凹部１２内の燃料が各バルブリセス１５〜１８に流入するように案内されるので、燃料が前記低温領域に拡散することが抑制されるうえ、凹部１２内の燃料が各食い込み部２１，２２を流れて各バルブリセス１５〜１８に流入することにより、燃料と空気との混合または燃料の霧化が行われる。この結果、燃料噴射弁５から噴射された燃料が、天井壁面７に接触する割合が減少し、しかも燃料と空気との混合または燃料の霧化が促進されて燃焼性が向上するので、自着火が容易になるうえ、未燃焼の燃料や不完全燃焼により生じる中間生成物が排気ガス中に排出される割合が減少して、排気エミッション性能および機関出力が向上する。
【００４４】
ピストン３には、４つのバルブリセス１５〜１８が形成され、各バルブリセス１５〜１８に対して食い込み部２１，２２が形成されることにより、燃焼室４全体での燃料と空気との混合または燃料の霧化が促進される。
【００４５】
突出部１３の側面１３ａは各食い込み部２１，２２に向くように傾斜した傾斜面であり、燃料噴流は、上方から側面１３ａに当たって反射した後、平面視で各食い込み部２１，２２に向かう燃料流に偏向され、側面１３ａの前記上部は、各バルブリセス１５〜１８の底壁面１５ａ〜１８ａの前記一部分よりも上方に位置することにより、燃料噴流が側面１３ａに当たった後の燃料が、低壁部分２１ｄ，２２ｄから各バルブリセス１５〜１８に流入しやすくなり、また燃料流が側面１３ａの前記上部よりも下方に位置する各バルブリセス１５〜１８に流入しやすくなるので、燃料が前記低温領域に拡散することが一層抑制されるうえ、凹部１２内の燃料が各食い込み部２１，２２を流れて各バルブリセス１５〜１８に流入することによる燃料と空気との混合または燃料の霧化が促進されて、燃焼性が向上する。
【００４６】
凹部１２と各バルブリセス１５〜１８とを連通させる各食い込み部２１，２２では、凹部１２で受けた燃料噴流のうち、より多くの燃料が、最低壁部２１ｂ，２２ｂを有する低壁部分２１ｄ，２２ｄから各バルブリセス１５〜１８内に流入するため、各食い込み部２１，２２は、凹部１２から各バルブリセス１５〜１８に流入する燃料が各バルブリセス１５〜１８内で旋回流Ｓ１を生成するように形成されている。そのため、各バルブリセス１５〜１８内に生成される旋回流Ｓ１により、各バルブリセス１５〜１８内で燃料と空気との混合または燃料の霧化が促進されるほか、凹部１２内でも、各食い込み部２１，２２から部分的に流出する旋回流Ｓ１により、燃料と空気との混合または燃料の霧化が行われるので、燃焼性が向上する。
【００４７】
さらに、各食い込み部２１，２２における高壁部分２１ｃ，２２ｃは、周壁面１２ｂの高さが低壁部分２１ｄ，２２ｄに比べて高くなっているうえ、オーバハング形状であることにより、高壁部分２１ｃ，２２ｃは、凹部１２内の燃料の径方向への拡散を抑制すると共に、凹部１２内の燃料が低壁部分２１ｄ，２２ｄから各バルブリセス１５〜１８に流入することを促進するので、各バルブリセス１５〜１８内での旋回流が強められて、燃料と空気との混合または燃料の霧化が促進される。
【００４８】
次に、図６を参照して、本発明の第２実施例を説明する。この第２実施例は、第１実施例とは突出部の形状のみが相違し、その他は基本的に同一の構成を有するものである。そのため、同一の部分についての説明は省略または簡略にし、異なる点を中心に説明する。なお、第１実施例の部材と同一の部材または対応する部材については、必要に応じて同一の符号を使用した。
【００４９】
第２実施例において、四角錐台状に形成された突出部２３は、第１実施例と同様の凹部１２の底壁面１２ａからの高さが第１実施例の突出部１３の高さにほぼ等しく、燃料噴流に対向するように燃料噴射弁５（図１参照）に向かって上方に突出すると共に、噴流範囲Ｒ内に収まる位置に形成される。下方に向かうにつれて径方向外方に広がる突出部２３の外周面は、平面視で４つの食い込み部２１，２２に径方向で対向する位置に、いずれも平面からなる４つの側面である１対の吸気側側面２３ｃおよび１対の排気側側面２３ｄにより構成される。それゆえ、各側面２３ｃ，２３ｄは、受け部１４の中心部から頂面３ａの外周縁部に向かうにつれて下方に傾斜することにより、各食い込み部２１，２２に向くように傾斜した傾斜面である。
【００５０】
また、突出部２３の平坦な最上面２３ｂの、各食い込み部２１，２２に対する上下方向での位置は、第１実施例の最上面１３ｂと同様である。したがって、各側面２３ｃ，２３ｄの一部分である上部は、各バルブリセス１５〜１８の底壁面１５ａ〜１８ａの一部分、すなわち最上部２３ｂを含む平面よりも下方に位置する底壁面１５ａ〜１８ａの部分よりも上方に位置する。
【００５１】
４つの側面２３ｃ，２３ｄは、それぞれ、４つのバルブリセス１５〜１８に対する食い込み部２１，２２に、平面視で、その全面が食い込み部２１，２２の幅内において径方向で対向しており、しかも食い込み部２１，２２の幅に比例して、１対の吸気側バルブリセス１５，１６での食い込み部２１に対向する１対の側面２３ｃの周方向での幅は、１対の排気側バルブリセス１７，１８での食い込み部２２に対向する１対の側面２３ｄの周方向での幅よりも大きい。
【００５２】
そして、各食い込み部２１，２２に向くように傾斜した傾斜面である突出部１３の側面２３ｃ，２３ｄに、燃料噴流が上方から当たって反射した後、平面視で各食い込み部２１，２２に向かう燃料流に偏向され、側面２３ｃ，２３ｄの前記上部に当たった後の燃料が、前記上部よりも下方に位置する低壁部分２１ｄ，２２ｄおよび各バルブリセス１５〜１８に流入することは、第１実施例と同様であるが、側面２３ｃ，２３ｄが平面であることにより、第１実施例に比べてより多くの燃料が、効率よく各食い込み部２１，２２から各バルブリセス１５〜１８に流入する。
【００５３】
したがって、この第２実施例によれば、第１実施例と同様の作用および効果が奏されるほか、次の作用および効果が奏される。すなわち、凹部１２内に位置する突出部２３は、燃料噴流に対向するように突出しており、突出部２３の各側面２３ｃ，２３ｄは、対応する食い込み部２１，２２に向くように傾斜した平面からなることにより、各側面２３ｃ，２３ｄで反射した燃料の多くが、効率よく各食い込み部２１，２２に向かって流れ、さらに各バルブリセス１５〜１８に流入するので、凹部１２内の燃料が前記低温領域に拡散することが一層抑制され、また各食い込み部２１，２２を流れて各バルブリセス１５〜１８に流入することによる燃料と空気との混合または燃料の霧化が一層促進される。さらに、各バルブリセス１５〜１８内での旋回流が強められて、燃料と空気との混合または燃料の霧化がさらに促進される。
【００５４】
次に、図７〜図９を参照して、本発明の第３実施例を説明する。なお、第１実施例と同一の部分についての説明は省略または簡略にし、異なる点を中心に説明する。また、第１実施例の部材と同一の部材または対応する部材については、必要に応じて同一の符号を使用した。
【００５５】
第３実施例において、ピストン３の頂面３ａには、第１実施例と同様の平坦部１０と隆起部１１とが形成される。隆起部１１には、燃焼室４（図１参照）の中心から径方向に直線状に延びる４条の溝である１対の吸気側溝３１，３２および１対の排気側溝３１，３２からなる凹部３０と、周方向で隣接する溝３１，３２の間にあって各溝３１，３２の側壁を構成する４つの突出部３３〜３６と、凹部３０の全体および突出部３３〜３６の全体を含むと共に噴流範囲Ｒ内に位置する部分である受け部１４と、各バルブリセス１５〜１８とが形成される。
【００５６】
噴流範囲Ｒ内に位置する４つの溝３１，３２は、中心線Ｌ２を含む燃焼室４（図１参照）の中心部分で交差して交差部Ｃを構成すると共に、交差部Ｃから各バルブリセス１５〜１８に延びている。また、各突出部３３〜３６は、溝３１，３２の底壁面３１ａ，３２ａから燃料噴流に対向するように燃料噴射弁５に向かって上方に突出すると共に、噴流範囲Ｒ内に収まる位置に形成される。
【００５７】
吸気側バルブリセス１５，１６の底壁面１５ａ，１６ａには、各バルブリセス１５，１６の中心をほぼ中心とする球面からなる壁面３７ａを有する半球状の窪み３７が形成され、排気側バルブリセス１７，１８の底壁面１７ａ，１８ａには、各バルブリセス１７，１８の中心をほぼ中心とする球面からなる壁面３８ａを有する半球状の窪み３８が形成される。そして、各溝３１，３２は、各バルブリセス１５〜１８の底壁面１５ａ〜１８ａにも形成されて、溝３１，３２よりも深く形成された窪み３７，３８の壁面３７ａ，３８ａに開口することにより、各溝３１，３２の端部３１ｂ，３２ｂが窪み３７，３８に開放している。
【００５８】
各溝３１，３２の底壁面３１ａ，３２ａは、交差部Ｃから径方向外方または窪み３７，３８に向かうにつれて下方に傾斜する平面からなる傾斜面である。そのため、受け部１４に向けられた燃料噴流のうち、各溝３１，３２の底壁面３１ａ，３２ａで反射する燃料は、隆起部１１よりも低い底壁面３１ａ，３２ａと各溝３１，３２の側壁面３１ｃ，３２ｃとにより、前記低温領域である天井壁面７近傍領域に拡散することが抑制されると共に、４条の溝３１，３２および４つの突出部３３〜３６で構成される凹凸構造により燃料と空気との混合または燃料の霧化が行われる。
【００５９】
さらに、各溝３１，３２は、平坦部１０がほぼ位置する平面よりも上方に位置し、交差部Ｃは最も上方に位置する。そして、各溝３１，３２の底壁面３１ａ，３２ａは、各バルブリセス１５〜１８の底壁面１５ａ〜１８ａの一部分、すなわち各溝３１，３２の端部３１ｂ，３２ｂよりも下方に位置する底壁面１５ａ〜１８ａの部分よりも上方に位置する。それゆえ、燃料噴流が、上方から各溝３１，３２の底壁面３１ａ，３２ａに当たって反射した後、平面視で溝３１，３２の各バルブリセス１５〜１８寄りに向かう燃料流に偏向されることにより、燃料噴流が底壁面３１ａ，３２ａに当たった後の燃料が、溝３１，３２を通じて各バルブリセス１５〜１８に流入しやすくなり、また各溝３１，３２の底壁面３１ａ，３２ａが各バルブリセス１５〜１８の底壁面１５ａ〜１８ａよりも上方に位置することで、底壁面３１ａ，３２ａに当たった後の燃料が各バルブリセス１５〜１８に流入しやすくなる。
【００６０】
このように、各溝３１，３２は、各バルブリセス１５〜１８に連通して、各溝３１，３２内の燃料を各バルブリセス１５〜１８に案内する案内部を兼ねている。そして、各溝３１，３２に案内されて、端部３１ｂ，３２ｂから各バルブリセス１５〜１８の窪み３７，３８内に流入した燃料は、各窪み３７，３８内で壁面３７ａ，３８ａに沿って上方に向かうことで、シリンダ軸線方向Ａ１にほぼ直交する方向の軸線回りの渦流Ｓ２（図９参照）を生成する。それゆえ、各窪み３７，３８は渦流生成部を構成し、その渦流Ｓ２により、各バルブリセス１５〜１８内での燃料と空気との混合または燃料の霧化が促進される。
【００６１】
また、両吸気側バルブリセス１５，１６にそれぞれ連通する両溝３１の溝幅は、その容積に比例して、両排気側バルブリセス１７，１８にそれぞれ連通する両溝３２の溝幅より大きい。
【００６２】
したがって、第３実施例によれば、隆起部１１に、４条の溝３１，３２からなる凹部３０および突出部３３〜３６を含む受け部１４と、各バルブリセス１５〜１８と、凹部３０内の燃料を各バルブリセス１５〜１８に案内する各溝３１，３２からなる案内部とが形成される点で、第１実施例と同様の作用および効果が奏されるほか、次の作用および効果が奏される。
【００６３】
すなわち、凹部３０は４つのバルブリセス１５〜１８にそれぞれ延びる４条の溝３１，３２からなり、各溝３１，３２が凹部３０と各バルブリセス１５〜１８を連通させ、突出部３３〜３６は溝３１，３２の側壁であることにより、隆起部１１に形成されて燃焼室４の容積拡大につながる凹みを減少させることができるので、高圧縮比の確保が容易になる。また、凹部３０を構成する溝３１，３２内の燃料が該溝３１，３２を流れて円滑に各バルブリセス１５〜１８に流入するので、各溝３１，３２内で反射した燃料が天井壁面７近傍領域に拡散することが抑制されて、燃料噴射弁５から噴射された燃料が比較的低温の天井壁面７に接触する割合が減少する。さらに、燃料噴流が受け部１４の４条の溝３１，３２および突出部３３〜３６からなる凹凸構造に当たるため、燃料と空気との混合または燃料の霧化が促進されて、燃焼性が向上する。
【００６４】
各バルブリセス１５〜１８の底壁面１５ａ〜１８ａには窪み３７，３８が形成されることにより、各溝３１，３２を流れて各バルブリセス１５〜１８に流入した燃料が窪み３７，３８に流入して、各バルブリセス１５〜１８内での燃料と空気との混合または燃料の霧化が促進される。また、凹部３０を構成する溝３１，３２の容積を小さくして高圧縮比を維持する場合にも、該溝３１，３２のより多く燃料を、該溝３１，３２を通じて円滑に、窪み３７，３８により容積が拡大された各バルブリセス１５〜１８内に導くことができるので、燃料が前記低温領域に拡散することが抑制される。
【００６５】
各溝３１，３２は各バルブリセス１５〜１８の底壁面１５ａ〜１８ａに形成されて各バルブリセス１５〜１８内で延びており、各溝３１，３２の端部３１ｂ，３２ｂが、溝３１，３２よりも深く形成された窪み３７，３８に開放することにより、凹部３０を構成する溝３１，３２の燃料が、該溝３１，３２を流れて窪み３７，３８内に直接流入するので、その直接流入する燃料により各バルブリセス１５〜１８内での燃料と空気との混合または燃料の霧化が一層促進される。
【００６６】
しかも、半球形の壁面３７ａ，３８ａを有する窪み３７，３８内では、シリンダ軸線方向Ａ１にほぼ直交する方向の軸線回りの渦流Ｓ２が生成されるので、この渦流Ｓ２により、燃料と空気との混合または燃料の霧化が一層促進される。
【００６７】
以下、前述した実施例の一部の構成を変更した実施例について、変更した構成に関して説明する。
燃料噴流の噴流範囲Ｒ内には、各食い込み部２１，２２の全体が形成されてよく、また噴流範囲Ｒ内に溝３１，３２の一部分のみが形成されてもよい。また、第１，第２実施例において、噴流範囲Ｒが凹部１２の開口１２ａ内に収まるように燃料が噴射されてもよい。
【００６８】
第３実施例では、各バルブリセス１５〜１８の底壁面１５ａ〜１８ａに窪み３７，３８が形成されたが、窪み３７，３８の代わりに上方に突出する１つまたは複数の突部が形成されてもよく、その突部により燃料と空気との混合または燃料の霧化を促進させることができる。さらに、各溝３１，３２から流入する燃料が、第１実施例と同様に、各バルブリセス１５〜１８内にシリンダ軸線Ｌ１にほぼ平行な軸線回りの旋回流を生成するように、各溝３１，３２が、図８に二点鎖線で部分的に示されるように各バルブリセス１５〜１８の中心から偏心した位置を指向するように形成されてもよい。
【００６９】
バルブリセスは、吸気弁のみまたは排気弁のみに対応して形成されてもよく、またその数は、燃焼室毎の吸気弁の数または排気弁の数に対応して適宜決定される。
【００７０】
燃料噴流は、液体燃料と空気との混合気の噴流であったが、液体燃料のみの噴流であってもよく、さらに燃料は、液体燃料でなくガス燃料であってもよい。
【００７１】
内燃機関は、前記各実施例では車両に使用されるものであったが、鉛直方向を指向するクランク軸を備える船外機等の船舶推進装置に使用されるものであってもよい。
【図面の簡単な説明】
【図１】本発明の第１実施例を示し、筒内噴射式内燃機関の要部断面図であり、図４のＩ−Ｉ矢視での断面図である。
【図２】図１の内燃機関の、図４のＩＩ−ＩＩ矢視での断面図である。
【図３】図１の内燃機関のピストンの要部斜視図である。
【図４】図３のピストンの平面図である。
【図５】図４のＶ−Ｖ矢視での断面図である。
【図６】本発明の第２実施例を示し、第１実施例の図４に相当するピストンの平面図である。
【図７】本発明の第３実施例を示し、第１実施例の図３に相当するピストンの斜視図である。
【図８】図７のピストンの平面図である。
【図９】図８のＩＸ−ＩＸ矢視での断面図である。
【符号の説明】
１…シリンダブロック、２…シリンダヘッド、３…ピストン、３ａ…頂面、４…燃焼室、５…燃料噴射弁、６…凹部、７…天井壁面、１０…平坦部、１１…隆起部、１２…凹部、１３，２３…突出部、１３ａ，２３ｃ，２３ｄ…側面、１４…受け部、１５〜１８…バルブリセス、１５ａ〜１８ａ…底壁面、２１，２２…食い込み部、
３０…凹部、３１，３２…溝、３１ａ，３２ａ…底壁面、３１ｂ，３２ｂ…端部、３３〜３６…突出部、３７，３８…窪み、
Ｌ１…シリンダ軸線、Ｌ２…中心線、Ａ１…シリンダ軸線方向、Ａ２…直交方向、Ｐ１…中心面、Ｐ２…平面、Ｒ…噴流範囲、Ｓ１…旋回流、Ｓ２…渦流、Ｃ…交差部。
【図１】
2004270476.tif 000003
【図２】
2004270476.tif 000004
【図３】
2004270476.tif 000005
【図４】
2004270476.tif 000006
【図５】
2004270476.tif 000007
【図６】
2004270476.tif 000008
【図７】
2004270476.tif 000009
【図８】
2004270476.tif 000010
【図９】
2004270476.tif 000011